(57)【要約】【課題】故障時の交換が容易であるとともに、部品相互間に高い位置精度を確保することができる画像読取装置を提供すること。【解決手段】原稿読取面に光を照射する光源を有する照明部と前記光源によって光が照射された原稿読取面からの反射光を通過させるスリット部６４ａを有する枠体６４を備える第１移動キャリッジ５２と、前記枠体６４のスリット部６４ａを通過した光を結像させる結像レンズと、該結像レンズによって結像された光学像を電気信号に変換して読み取る光電変換素子を備える画像読取装置において、前記第１移動キャリッジ５２を、前記照明部と前記枠体６４とを一体化して成る照明ユニット６５と、該照明ユニット６５とは別体に構成されて駆動源によって副走査方向に移動する原稿走査部６６とを結合して構成する。【選択図】図４
2012093660.tif 000002
【特許請求の範囲】
【請求項１】
原稿読取面に光を照射する光源を有する照明部と前記光源によって光が照射された原稿読取面からの反射光を通過させるスリット部を有する枠体を備える移動キャリッジと、前記枠体のスリット部を通過した光を結像させる結像レンズと、該結像レンズによって結像された光学像を電気信号に変換して読み取る光電変換素子を備える画像読取装置において、
前記移動キャリッジを、前記照明部と前記枠体とを一体化して成る照明ユニットと、該照明ユニットとは別体に構成されて駆動源によって副走査方向に移動する原稿走査部とを結合して構成したことを特徴とする画像読取装置。
【請求項２】
前記照明ユニットに読取位置調整用の位置決め孔を形成したことを特徴とする請求項１記載の画像読取装置。
【請求項３】
請求項１又は２記載の画像読取装置を備えることを特徴とする画像形成装置。
【発明の詳細な説明】
【技術分野】
【０００１】
本発明は、ＬＥＤ等の光源からの光によって原稿画像を読み取る画像読取装置とこれを備えた複写機等の画像形成装置に関するものである。
【背景技術】
【０００２】
電子写真方式によって用紙に画像を形成する複写機等の画像形成装置には原稿画像を光学的に読み取るための画像読取装置が備えられているが、この画像読取装置は、原稿読取面に光を照射する光源を有する照明部と前記光源によって光が照射された原稿読取面からの反射光を通過させるスリット部を有する枠体を備える移動キャリッジと、前記枠体のスリット部を通過した光を結像させる結像レンズと、該結像レンズによって結像された光学像を電気信号に変換して読み取る光電変換素子（ラインセンサ）を備えている。
【０００３】
ところで、近年、斯かる画像読取装置の光源には、立ち上がり時間が短く、省エネルギ化と長寿命化が可能なＬＥＤ（発光ダイオード）が採用されつつある。この場合、光源は光電変換素子（ラインセンサ）による主走査方向の読み取りに合わせて原稿をライン状に照明する必要があるが、ＬＥＤは点光源であるため、複数のＬＥＤをＬＥＤ基板上に主走査方向にアレイ状に並べてライン光源化している。
【０００４】
上述のように複数のＬＥＤをＬＥＤ基板上に並べて配置する場合、複数のＬＥＤの１つでも故障して点灯しなくなるとＬＥＤ基板ごと、つまり、使用可能なＬＥＤを含めて全てのＬＥＤを交換することとなって不経済である。
【０００５】
そこで、特許文献１には、ＬＥＤ基板を複数のブロックに分割し、故障が発生したＬＥＤが含まれるＬＥＤ基板だけを交換可能とした画像照明装置が提案されている。
【先行技術文献】
【特許文献】
【０００６】
【特許文献１】特開２００８−２９９１９５号公報
【発明の概要】
【発明が解決しようとする課題】
【０００７】
ところで、一般にＬＥＤは発光の指向性が広く、ライン照明用としてそのまま使用すると光電変換素子（ラインセンサ）の読取方向と垂直な方向に光が広がるために効率が悪い。このため、光電変換素子の読取方向に対して垂直な方向の光を集光させるためにレンズや導光板等の集光用が使用される。このような集光用部材を用いた場合、集光用部材とＬＥＤの位置精度は重要であり、特許文献１において提案された画像照明装置のようにＬＥＤ基板を複数のブロックに分割し、故障が発生したＬＥＤが含まれるＬＥＤ基板だけを交換可能とする構成において集光用部材を用いた場合には、該集光用部材とＬＥＤの位置精度を高く保つことは困難である。
【０００８】
又、厚みを有する原稿の端部における影の発生を防ぐため、光源は読取位置に対して両方向から光を照射する必要がある。このため、ＬＥＤによって直接照明する直接光とリフレクタ等を用いることによって間接的に照明を行う間接光とを組み合わせて照明を行っている。このような照明を行う場合、集光用部材とリフレクタ等との位置精度も重要となる。
【０００９】
本発明は上記問題に鑑みてなされたもので、その目的とする処は、故障時の交換が容易であるとともに、部品相互間に高い位置精度を確保することができる画像読取装置及びこれを備えた画像形成装置を提供することにある。
【課題を解決するための手段】
【００１０】
上記目的を達成するため、請求項１記載の発明は、原稿読取面に光を照射する光源を有する照明部と前記光源によって光が照射された原稿読取面からの反射光を通過させるスリット部を有する枠体を備える移動キャリッジと、前記枠体のスリット部を通過した光を結像させる結像レンズと、該結像レンズによって結像された光学像を電気信号に変換して読み取る光電変換素子を備える画像読取装置において、前記移動キャリッジを、前記照明部と前記枠体とを一体化して成る照明ユニットと、該照明ユニットとは別体に構成されて駆動源によって副走査方向に移動する原稿走査部とを結合して構成したことを特徴とする。
【００１１】
請求項２記載の発明は、請求項１間債の発明において、前記照明ユニットに読取位置調整用の位置決め孔を形成したことを特徴とする。
【００１２】
請求項３記載の画像形成装置は、請求項１又は２記載の画像読取装置を備えることを特徴とする。
【発明の効果】
【００１３】
請求項１記載の発明によれば、移動キャリッジを照明ユニットと原稿走査部とに分割し、両者を結合一体化するようにしたため、照明ユニットの一部に故障が発生した場合には照明ユニットだけを容易に交換することができ、原稿走査部をそのまま利用することができるために経済的である。又、照明ユニットにおいては、各部品相互間に高い位置精度が確保されているため、交換後の位置決めが不要となり、高精度な読み取りが可能になる。更に、読取位置の集光効率を高めるために製造時に集光部材やリフレクタの位置や角度を調整する場合でも、照明ユニットのみで治具等を用いて作業性良く組立・調整することができる。
【００１４】
請求項２記載の発明によれば、移動キャリッジを画像読取装置に組み込んだ後、照明ユニットに形成された読取位置調整用の位置決め孔に調整用治具原稿のシャフトを差し込むことによって光電変換素子の結像レンズに対する相対位置を調整して読取光軸を合わせるが、その際、調整用治具原稿に対する位置決めを照明ユニットを基準として行うため、照明ユニットの最適集光位置に読取光軸を合致させることができる。
【００１５】
請求項３記載の発明によれば、画像読取装置による高精度な画像の読み取りによって高質画像を安定的に形成することができる。
【図面の簡単な説明】
【００１６】
【図１】本発明に係る画像形成装置の断面図である。
【図２】本発明に係る画像読取装置の副走査方向の断面図である。
【図３】本発明に係る画像読取装置の第１移動キャリッジの照明ユニットの副走査方向の断面図である。
【図４】本発明に係る画像読取装置の第１移動キャリッジの分解斜視図である。
【発明を実施するための形態】
【００１７】
以下に本発明の実施の形態を添付図面に基づいて説明する。
［画像形成装置］
図１は本発明に係る画像形成装置の断面図であり、図示の画像形成装置は、複写機能とプリンタ機能及びファクシミリ機能を兼備したカラー複合機であって、用紙の両面にカラー画像を形成することができる装置である。このカラー複合機は、装置本体１００とその上部に配された自動原稿搬送装置４０及び原稿読取装置５０を備えており、装置本体１００の内部上方には画像形成部１が配置されている。又、装置本体１００内の下半部には用紙収納部７０が配され、装置本体１００内の画像形成部１と用紙収納部７０の間には転写搬送ユニット８０と両面搬送ユニット９０が配されている。
【００１８】
前記画像形成部１は、電子写真方式によって画像を形成するものであって、タンデムに配置されたマゼンタ画像形成ユニット１Ｍ、シアン画像形成ユニット１Ｃ、イエロー画像形成ユニット１Ｙ及びブラック画像形成ユニット１Ｋを備えている。
【００１９】
上記各画像形成ユニット１Ｍ，１Ｃ，１Ｙ，１Ｋには、像担持体である感光ドラム２ａ，２ｂ，２ｃ，２ｄがそれぞれ配置されており、各感光ドラム２ａ〜２ｄの周囲には、露光装置３ａ，３ｂ，３ｃ，３ｄ、帯電器４ａ，４ｂ，４ｃ，４ｄ、現像装置５ａ，５ｂ，５ｃ，５ｄ、一次転写ローラ６ａ，６ｂ，６ｃ，５ｄ及びクリーニング装置７ａ，７ｂ，７ｃ，７ｄがそれぞれ配置されている。
【００２０】
ここで、前記感光ドラム２ａ〜２ｄは、ドラム状の感光体であって、不図示の駆動モータによって図示矢印方向（反時計方向）に所定のプロセススピードで回転駆動される。又、前記露光装置３ａ〜３ｄは各色の画像信号に対応するレーザー光を各感光ドラム２ａ〜２ｄに向けて照射することによって各感光ドラム２ａ〜２ｄ上に静電潜像を形成するものであり、前記帯電器４ａ〜４ｄは、不図示の帯電バイアス電源から印加される帯電バイアスによって感光ドラム２ａ〜２ｄの表面を所定の電位に均一に帯電させるものである。
【００２１】
更に、前記現像装置５ａ〜５ｄは、マゼンタ（Ｍ）トナー、シアン（Ｃ）トナー、イエロー（Ｙ）トナー、ブラック（Ｋ）トナーをそれぞれ収容しており、各感光ドラム２ａ〜２ｄ上に形成された各静電潜像に各色のトナーを付着させて各静電潜像を各色のトナー像として可視像化するものである。
【００２２】
又、前記一次転写ローラ６ａ〜６ｄは、各一次転写部にて無端状の中間転写ベルト８を介して各感光ドラム２ａ〜２ｄに当接可能に配置されている。ここで、中間転写ベルト８は、二次転写対向ローラ９と駆動ローラ１０及び複数のテンションローラ１１，１２，１３との間に張設されて各感光ドラム２ａ〜２ｄの下面側に図示矢印方向（時計方向）に走行可能に配置されており、前記二次転写対向ローラ９は、二次転写部において中間転写ベルト８を介して二次転写ローラ１４に当接可能に配置されている。
【００２３】
前記用紙収納部７０は、複数枚の用紙が積層収容された着脱可能な３つの給紙カセット７１，７２，７３を備えており、各給紙カセット７１〜７３の近傍には、各給紙カセット７１〜７３内の用紙を上位のものから順次取り出すピックローラ１５と、取り出された用紙を１枚ずつ分離して送り出すフィードローラ１６とリタードローラ１７がそれぞれ配設されている。又、バイパストレイ７４の近傍には、バイパス搬送手段としてのピックローラ１５、フィードローラ１６、リタードローラ１７及び搬送ローラ１８が設けられている。尚、図１において１９は搬送ローラである。
【００２４】
前記転写搬送ユニット８０は、用紙収納部７０から送り出された用紙を適当なタイミングで画像形成部１へと搬送するとともに、画像形成部１において画像が形成された用紙を不図示の排紙トレイへと排出するものであって、用紙収納部７０から二次転写部（二次転写対向ローラ９と二次転写ローラ１４の当接部）に至る第１搬送経路Ｌ１に配置されたレジストローラ２０、前記二次転写ローラ１４、二次転写部から排紙手段としての後述の排紙ローラ２４に至る第２搬送経路Ｌ２に設けられた搬送ベルト２１、定着装置２２と搬送ローラ２３及び排紙ローラ２４を備えている。ここて、定着装置２２は、圧接状態で互いに回転する定着ローラ２２ａと加圧ローラ２２ｂを備えている。
【００２５】
又、転写搬送ユニット８０は、画像形成装置本体１００に対して着脱可能であって、該転写搬送ユニット８０には、第２搬送経路Ｌ２から分岐して両面搬送ユニット９０の反転ローラ２５と反転コロ２６に至る横Ｕ字状の第３搬送経路Ｌ３が設けられており、その途中には搬送ローラ２７が設けられている。又、転写搬送ユニット８０には前記第３搬送経路Ｌ３とは別に反転搬送経路Ｌ３’が第２搬送経路Ｌ２から分岐して下方に延びており、その途中には搬送ローラ２８が設けられている。そして、第２搬送経路Ｌ２と第３搬送経路Ｌ３との分岐部には、用紙の搬送方向を切り換えるためのフラッパ２９が回動可能に設けられている。
【００２６】
前記両面搬送ユニット９０は、画像形成部１において画像が形成された用紙の表裏を反転させるものであって、前記第３搬送経路Ｌ３と反転搬送経路Ｌ３に連なる中間トレイ３０とその下方に配された第４搬送経路Ｌ４を備えており、中間トレイ３０には、正逆転可能な前記反転ローラ２５と、該反転ローラ２５に対して圧接／離間する前記反転コロ２６が設けられている。
【００２７】
又、両面搬送ユニット９０には大径の再給紙ローラ３２が回転可能に設けられており、この再給紙ローラ３２の外周には小径のローラ３３，３４が回転可能に当接している。尚、再給紙ローラ３２には不図示の一方向クラッチが設けられている。そして、反転手段を構成する前記反転ローラ２５と反転コロ２６からは第１搬送経路Ｌ４が延びており、この第４搬送経路Ｌ４は前記第１搬送経路Ｌ１に合流している。
【００２８】
上記第４搬送経路Ｌ４には、搬送ローラ３５が用紙搬送方向に沿って複数設けられている。又、再給紙ローラ３２の近傍には、中間トレイ３０に一旦引き込まれた用紙の搬送方向を切り換えるためのフラッパ３６が回動可能に設けられている。尚、本実施の形態では、両面搬送ユニット９０の第４搬送経路Ｌ４には、２枚以上の用紙を保留可能な２つ以上の用紙保留位置が備えられている。
【００２９】
次に、以上の構成を有するカラー複合機の画像形成動作について説明する。
【００３０】
例えば、自動原稿搬送装置４０の原稿トレイ４１にセットされた図２に示す原稿が原稿読取部であるコンタクトガラス５０ａ（図２参照）上に自動的に搬送され、その原稿Ｇの画像が原稿読取装置５０によって光学的に読み取られる。
【００３１】
上述のように原稿の画像が原稿読取装置５０によって光学的に読み取られると、画像形成部１においては、各画像形成ユニット１Ｍ，１Ｃ，１Ｙ，１Ｋにおいて各感光ドラム２ａ〜２ｄが図示矢印方向（反時計方向）に所定のプロセススピードで回転駆動され、これらの感光ドラム２ａ〜２ｄは、帯電器４ａ〜４ｄによって一様に帯電される。又、露光装置３ａ〜３ｄは、原稿読取装置６０によって読み取られた画像の各色毎の信号によって変調されたレーザー光を出射し、そのレーザー光を各感光ドラム２ａ〜２ｄの表面に照射し、各感光ドラム２ａ〜２ｄ上に各色のカラー画像信号に対応した静電潜像をそれぞれ形成する。
【００３２】
そして、先ず、マゼンタ画像形成ユニット１Ｍの感光ドラム２ａ上に形成された静電潜像に、該感光ドラム２ａの帯電極性と同極性の現像バイアスが印加された現像装置５ａによってマゼンタトナーを付着させ、該静電潜像をマゼンタトナー像として可視像化する。このマゼンタトナー像は、感光ドラム２ａと一次転写ローラ６ａとの間の一次転写部（転写ニップ部）において、トナーと逆極性の一次転写バイアスが印加された一次転写ローラ６ａの作用によって、図示矢印方向に回転駆動されている中間転写ベルト８上に一次転写される。
【００３３】
上述のようにしてマゼンタトナー像が一次転写された中間転写ベルト８は、次のシアン画像形成ユニット１Ｃへと移動する。そして、シアン画像形成ユニット１Ｃにおいても、前記と同様にして、感光ドラム２ｂ上に形成されたシアントナー像が一次転写部において中間転写ベルト８上のマゼンタトナー像に重ねて転写される。
【００３４】
以下同様にして、中間転写ベルト８上に重畳転写されたマゼンタ及びシアントナー像の上に、イエロー及びブラック画像形成ユニット１Ｙ，１Ｋの各感光ドラム２ｃ，２ｄ上にそれぞれ形成されたイエロー及びブラックトナー像が各一次転写部において順次重ね合わせられ、中間転写ベルト８上にはフルカラーのトナー像が形成される。尚、中間転写ベルト８上に転写されないで各感光ドラム２ａ〜２ｄ上に残留する転写残トナーは、各クリーニング装置７ａ〜７ｄによって除去され、各感光ドラム２ａ〜２ｄは次の画像形成に備えられる。
【００３５】
他方、用紙収納部７０の例えば給紙カセット７２内に収容された用紙は、ピックローラ１５によって最上位のものから１枚ずつピックアップされ、フィードローラ１６とリタードローラ１７によって１枚ずつ分離されて搬送ローラ１９によって第１搬送経路路Ｌ１をレジストローラ２０へと搬送される。そして、レジストローラ２０においては、用紙は、一時待機状態とされた後、中間転写ベルト８上のトナー像に同期する所定のタイミングで二次転写対向ローラ９と二次転写ローラ１４との当接部である二次転写部へと供給される。
【００３６】
二次転写部においては、転写ベルト８上に担持されたフルカラーのトナー像が二次転写ローラ１４の作用によって用紙の表面（第１面）上に一括転写される。そして、トナー像が転写された用紙は、搬送ベルト２１によって定着装置２２へと搬送され、この定着装置２２の定着ローラ２２ａと加圧ローラ２２ｂ間の定着ニップを通過する過程で加熱及び加圧されてトナー像の定着を受ける。
【００３７】
而して、定着装置２２にて表面にトナー像が定着された用紙は、フェースアップ排紙（ＦＵ排紙）が選択されている場合には、フラッパ２９によってその搬送方向が決定され、用紙は第２搬送経路Ｌ２をそのまま排紙ローラ２４に向かって搬送され、排紙ローラ２４によって画像面を上にして不図示の排紙トレイへと排出される。
【００３８】
一方、フェースダウン排紙（ＦＤ排紙）又は両面画像モードが選択された場合には、フラッパ２９が動作して用紙の搬送方向が切り換えられ、定着装置２２を通過した用紙は横Ｕ字状の第３搬送経路Ｌ３を通って両面搬送ユニット９０へと搬送される。
【００３９】
両面搬送ユニット９０においては、反転コロ２６は反転ローラ２５から離間した状態で待機しており、用紙が両面搬送ユニット９０に或る一定以上送られると、反転コロ２６は反転ローラ２５に圧接される。このように反転コロ２６が反転ローラ２５に圧接されると、反転ローラ２５が正転されて用紙が送られてきた方向に引き込まれ、用紙が或る一定以上引き込まれると反転ローラ２５が逆転されて用紙がスイッチバックされて反転搬送経路Ｌ３’又は第４搬送経路Ｌ４へと送られる。即ち、フェースダウン排紙が選択されている場合には、フラッパ３６によって用紙の搬送方向が反転搬送経路Ｌ３’へと切り換えられ、用紙は画像面を下にした状態で排紙ローラ２４によって不図示の排紙トレイへと排出される。
【００４０】
又、用紙の両面に画像を形成する場合には、フラッパ３６によって用紙の搬送方向が第４面搬送経路Ｌ４の方向に切り換えられ、用紙は、再給紙ローラ３２と搬送ローラ３５によって第４搬送経路Ｌ４を画像面を上にして搬送され、第４搬送経路Ｌ４から第１搬送経路Ｌ１へと受け渡されることによって表裏が反転されて画像面を下にした状態でレジストローラ２０へと送られる。そして、以後は前述と同様のプロセスを経て用紙の反対面（第２面）にトナー像が形成され、このトナー像が形成された用紙は、定着装置２２によってトナー像の定着を受けた後に排紙ローラ対２４によって不図示の排紙トレイへと排出され、該用紙の両面に画像が形成される。
【００４１】
尚、以上はカセット給紙を行う場合について説明したが、手差し給紙を行う場合には、バイパストレイ７４上にセットされた用紙は、ピックローラ１５によって最上位のものから１枚ずつピックアップされ、フィードローラ１６とリタードローラ１７によって１枚ずつ分離されて搬送ローラ１８によって第１搬送経路Ｌ１をレジストローラ２０へと搬送され、以後は前記と同様のプロセスを経て該用紙に画像が形成される。
［画像読取装置］
次に、本発明に係る前記画像読取装置５０の構成を図２〜図４に基づいて説明する。
【００４２】
図２は本発明に係る画像読取装置の副走査方向の断面図、図３は同画像読取装置の第１移動キャリッジの副走査方向の縦断面図、図４は同第１移動キャリッジの分解斜視図である。
【００４３】
図２に示すように、画像読取装置５０は、筐体を構成する箱状構造体である光学フレーム５１を備えており、この光学フレーム５１の上面にはコンタクトガラス５０ａが設けられている。
【００４４】
又、光学フレーム５１の内部には、副走査方向に移動可能な第１及び第２移動キャリッジ５２，５３が収容されている。ここで、第１移動キャリッジ５２には、コンタクトガラス５０ａ上に載置された原稿Ｇを照明する照明部５４と、原稿Ｇにて反射した読取光（反射光）を９０°方向に反射させる第１反射ミラー５５が設けられており、第２キャリッジ５３には、第１反射ミラー５５にて反射した反射光を９０°方向に反射させる第２反射ミラー５６と、該第２反射ミラー５６にて反射した反射光を更に９０°方向に反射させる第３反射ミラー５７が設けられており、これらの第１及び第２移動キャリッジ５２，５３は、不図示のガイドレールに沿って副走査方向（図２の左右方向）に移動する。
【００４５】
更に、光学フレーム５１の内部には結像レンズ５８と光電変換像素子であるＣＣＤ５９が収容されており、前記第３反射ミラー５７にて反射した原稿Ｇからの読取光は、結像レンズ５８によって収束した後にＣＣＤ５９に入射し、該ＣＣＤ５９上に結像される。
【００４６】
ところで、図３に示すように、前記照明部５４は、光源として主走査方向（図３の示す垂直方向）に列状（アレイ状）に配設された発光素子である複数のＬＥＤ（発光ダイオード）６０を使用するものであって、これらのＬＥＤ６０は主走査方向に細長いＬＥＤ基板６１上に実装されている。又、ＬＥＤ基板６１上のＬＥＤ６０の光出射方向前方（図３の左方）には主走査方向に長い導光体６２が固定されている。この導光体６２は、アクリル樹脂等の透明樹脂又はガラスによって構成されており、前記ＬＥＤ６０に対向する垂直な面は入光面６２ａを構成しており、他側の上下に分岐する斜面と垂直面は第１の出光面６２ｂと第２の出光面６２ｃをそれぞれ構成している。
【００４７】
又、図３に示すように、上記導光体６２の第２の出光面６２ｃに対向する位置には、主走査方向に長いリフレクタ６３が斜めに配置されている。
【００４８】
而して、複数のＬＥＤ６０が実装されたＬＥＤ基板６１と導光体６２は筐体としての板金製の枠体６４によって支持されているが、図４に示すように、該枠体６４には主走査方向に長いスリット部６４ａが形成されており、この枠体６４と前記照明部５４とは照明ユニット６５として一体化されている。
【００４９】
そして、第１移動キャリッジ５２は、図４に示すように、上記照明ユニット６５とこれとは別体に構成された板金製の原稿走査部６６とを結合一体化して構成されている。ここで、原稿走査部６６は、駆動源である電動モータによって副走査方向に往復移動するものであって、その上に照明ユニット６５が重ねて結合される。尚、照明ユニット６５の主走査方向一端には読取位置調整用の位置決め孔６７が形成されている。
【００５０】
次に、以上のように構成された原稿読取装置５０の画像読取動作について説明する。
【００５１】
例えば、図１に示す自動原稿搬送装置４０の原稿トレイ４１にセットされた原稿Ｇが原稿読取部であるコンタクトガラス５０ａ上に自動的に搬送され、その原稿Ｇの画像が画像読取装置５０によって光学的に読み取られる。
【００５２】
即ち、第１移動キャリッジ５２と第２移動キャリッジ５３が不図示のガイドレールに沿って副走査方向（図２の左右方向）に移動しながらコンタクトガラス５０ａ上に載置された原稿Ｇを走査すると、第１移動キャリッジ５２のＬＥＤ６０から出射する光は導光体６２の入光面６２ａから該導光体６２内に入射する。この導光体６２内に入射した光は導光体６２を通過するが、導光体６２の第１の出光面６２ｂから出射する光は原稿Ｇに直接向かい、第２の出光面６２ｃから出射する光はリフレクタ６３にて反射した後に原稿Ｇに向かい、原稿Ｇはこれらの光によって照明される。そして、これらの光は原稿Ｇにて反射し、その反射光は、第１移動キャリッジ５２の第１反射ミラー５５にて９０°方向に反射した後、第２移動キャリッジ５３の第２反射ミラー５６と第３反射ミラー５７にて９０°方向にそれぞれ反射し、結像レンズ５８によって収束した後にＣＣＤ５９に入射し、該ＣＣＤ５９によって読み取られて電気信号に変換される。
【００５３】
上述のようにして原稿Ｇの画像が画像読取装置５０によって光学的に読み取られると、その電気信号が各露光装置３ａ〜３ｄへと送信され、各露光装置３ａ〜３ｄは、電気信号に基づくレーザー光を出力し、図１に示すカラー複合機において前述のような画像形成動作が行われてカラー画像が形成される。
【００５４】
以上において、本発明に係る画像読取装置５０においては、第１移動キャリッジ５２を照明ユニット６５と原稿走査部６６とに分割し、両者を結合一体化するようにしたため、照明ユニット６５のＬＥＤ６０の一部に故障が発生した場合には照明ユニット６５だけを容易に交換することができ、原稿走査部６６をそのまま利用することができるために経済的である。
【００５５】
又、照明ユニット６５においては、各部品相互間に高い位置精度が確保されているため、交換後の位置決めが不要となり、高精度な読み取りが可能になる。更に、読取位置の集光効率を高めるために製造時に導光体６２やリフレクタ６３の位置や角度を調整する場合でも、照明ユニット６５のみで治具等を用いて作業性良く組立・調整することができる。
【００５６】
又、第１移動キャリッジ５２を画像読取装置５０に組み込んだ後、照明ユニット６５に形成された読取位置調整用の位置決め孔６７に不図示の調整用治具原稿のシャフトを差し込むことによってＣＣＤ５９の結像レンズ５８に対する相対位置を調整して読取光軸を合わせるが、その際、調整用治具原稿に対する位置決めを照明ユニット６５を基準として行うため、照明ユニット６５の最適集光位置に読取光軸を合致させることができる。
【００５７】
尚、本実施の形態では、本発明をカラー複合機及びこれに備えられた画像読取装置に対して適用した例について説明したが、本発明は、単体としての複写機、プリンタ、ファクシミリ等、他の任意の画像形成装置及びこれに備えられた画像読取装置に対しても同様に適用可能であることは勿論である。
【符号の説明】
【００５８】
１              画像形成部
１Ｍ            マゼンタ画像形成ユニット
１Ｃ            シアン画像形成ユニット
１Ｙ            イエロー画像形成ユニット
１Ｋ            ブラック画像形成ユニット
４０            自動原稿搬送装置
５０            原稿読取装置
５０ａ          コンタクトガラス
５１            光学フレーム
５２            第１キャリッジ
５３            第２キャリッジ
５４            照明部
５５            第１反射ミラー
５６            第２反射ミラー
５７            第３反射ミラー
５８            結像レンズ
５９            ＣＣＤ（光電変換素子）
６０            ＬＥＤ（光源）
６１            ＬＥＤ基板
６２            導光体
６３            リフレクタ
６４            枠体
６４ａ          枠体のスリット部
６５            照明ユニット
６６            原稿走査部
６７            読取位置調整用の位置決め孔
７０            用紙収納部
８０            転写搬送ユニット
９０            両面搬送ユニット
１００          画像形成装置本体
【図１】
2012093660.tif 000003
【図２】
2012093660.tif 000004
【図３】
2012093660.tif 000005
【図４】
2012093660.tif 000006